(57)【要約】【課題】乗員による情報の入力が途中の段階で、その後の情報の入力が無効（禁止）とされた場合であっても、乗員の望む表示内容を表示手段に表示することが可能な車両用情報表示システムの提供。【解決手段】表示制御ＣＰＵは、タッチパネルから入力された情報が入力途中の状態で、車両が停止状態から走行状態に移行することによってタッチパネルによる操作入力の禁止が決定されると（ステップＳ２）、タッチパネルから入力された入力途中の情報に基づいて、その後に液晶表示パネルに表示されるべき表示内容を予測し、当該予測された表示内容を液晶表示パネルに表示する（ステップＳ９及びステップＳ１０）。【選択図】図８
2014196979.tif 000002
【特許請求の範囲】
【請求項１】
車両に搭載された表示手段と、
乗員が所定の情報を入力することが可能な入力手段と、
前記入力手段によって入力された情報に基づいて前記表示手段に表示される表示内容を決定するとともに、該決定された表示内容を前記表示手段に表示する制御を行う制御手段と、
車両の走行状態に基づいて、前記入力手段による情報の入力の禁止を決定する入力禁止決定手段と、を備え、
前記制御手段は、
前記入力手段から入力された入力途中の情報に基づいて、その後に前記表示手段に表示されるべき表示内容を予測する表示内容予測手段を有し、
前記入力手段から入力された情報が入力途中の状態で、前記入力禁止決定手段によって前記入力手段による情報の入力の禁止が決定されると、前記表示内容予測決定手段によって決定された予測表示内容を前記表示手段に表示する制御を行う
ことを特徴とする車両用情報表示システム。
【請求項２】
前記表示内容予測決定手段は、前記入力途中の情報に基づいて、その後に前記入力手段から入力される情報を予測した後、前記予測表示内容を決定することを特徴とする請求項１に記載の車両用情報表示システム。
【請求項３】
前記入力手段は、操作面を有し、当該操作面に対して接触又は近接する入力操作が行われたことを検出するタッチパネル、及び、音声情報を入力するためのマイクの少なくとも何れか一方であることを特徴とする請求項１又は請求項２に記載の車両用情報表示システム。
【発明の詳細な説明】
【技術分野】
【０００１】
本発明は、車両用情報表示システムに関し、特に、入力手段から入力された情報に基づいて各種情報を表示することが可能な表示手段を備え、車両の走行状態に応じて、入力手段による情報の入力を禁止することが可能な車両用情報表示システムに関する。
【背景技術】
【０００２】
従来から、車両用情報表示システムとして、地図情報などの各種情報を表示することが可能な表示装置（例えば、カーナビゲーション装置）を備えたものが知られている。
【０００３】
一般に、この種の表示装置においては、乗員がタッチパネル等の操作手段を介して、複数の情報（例えば、文字や選択ボタン）を段階的に入力することによって、乗員が望む表示内容を表示手段としてのディスプレイに表示するように構成されている（特許文献１参照）。
【０００４】
近年、この種の車両用情報表示システムにおいては、ドライバーがディスプレイを注視せず、運転に集中できるようにするため、車両が走行中である場合、一部の機能のみ有効とし、その他の機能については、タッチパネルによる操作入力を行っても無効とするように構成されている（特許文献１参照）。
【先行技術文献】
【特許文献】
【０００５】
【特許文献１】特許第４８０５２７９号
【発明の概要】
【発明が解決しようとする課題】
【０００６】
このため、特許文献１に記載の車両用情報表示システムでは、乗員が操作入力を行っている途中段階で、操作手段による操作入力が無効とされた場合、乗員は、所望の表示内容を車両が停止状態となるまで視ることができない（若しくは、一部の機能が働かない）といった問題があった。
【０００７】
本発明は、上記不都合を解消するためになされたものであり、その目的は、乗員による情報の入力が途中の段階で、その後の情報の入力が無効（禁止）とされた場合であっても、乗員の望む表示内容を表示手段に表示することが可能な車両用情報表示システムを提供することにある。
【課題を解決するための手段】
【０００８】
前記課題は、本発明に係る車両用情報表示システムによれば、車両に搭載された表示手段と、乗員が所定の情報を入力することが可能な入力手段と、前記入力手段によって入力された情報に基づいて前記表示手段に表示される表示内容を決定するとともに、該決定された表示内容を前記表示手段に表示する制御を行う制御手段と、車両の走行状態に基づいて、前記入力手段による情報の入力の禁止を決定する入力禁止決定手段と、を備え、前記制御手段は、前記入力手段から入力された入力途中の情報に基づいて、その後に前記表示手段に表示されるべき表示内容を予測する表示内容予測手段を有し、前記入力手段から入力された情報が入力途中の状態で、前記入力禁止決定手段によって前記入力手段による情報の入力の禁止が決定されると、前記表示内容予測決定手段によって決定された予測表示内容を前記表示手段に表示する制御を行うことにより解決される。
【０００９】
上記構成では、乗員が情報を入力している途中の段階で、車両の走行状態に応じて（例えば、停止状態であった車両が走行状態となった場合）、入力手段を介した情報の入力が禁止されたとしても、それまでに入力された途中までの入力情報に基づいて、乗員が望む表示内容を予測して、当該表示内容を表示手段に表示するように構成されている。
【００１０】
このため、上記構成では、乗員が情報を入力している途中の段階で、情報の入力が禁止されたとしても、当該禁止が解除されるまで（例えば、車両が停止するまで）、乗員が、所望の表示内容を視ることができないといった事態を防止することが可能となる。
【００１１】
また、上記構成では、本来、多くの情報を入力しなければ、乗員の望む表示内容が表示されることがないところ、一部の情報のみを入力するだけで、当該表示内容を表示させることが可能なため、乗員による入力負担を軽減することができる。
【発明の効果】
【００１２】
以上のように、本発明に係る車両用情報表示システムによれば、乗員が所定の情報を入力している途中の段階で、その後の情報の入力が禁止されたとしても、乗員が望む表示内容を表示させることができる。
【図面の簡単な説明】
【００１３】
【図１】本発明の実施の一形態に係る車両の車室内を示す斜視図である。
【図２】図１の車両に設けられる表示装置の正面図である。
【図３】車両用情報表示システムに設けられている制御システムを説明するためのブロック図である。
【図４】表示装置に表示される画像の一例としての「ナビゲーションメニュー画面」を示す図である。
【図５】表示装置に表示される画像の一例としての「出発地・目的地の設定画面」を示す図である。
【図６】表示装置に表示される画像の一例としての「第１予測情報」が表示された画面を示す図である。
【図７】表示装置に表示される画像の一例としての「ナビゲーション画面」を示す図である。
【図８】車両用情報表示システムにより実行される車両の走行状態に基づく制御処理を示すフロー図である。
【発明を実施するための形態】
【００１４】
以下、本発明の実施形態を、図面に基づいて説明する。図１は本発明の実施の一形態に係る車両の車室内を示す斜視図、図２は図１の車両に設けられる表示装置の正面図である。図３は車両用情報表示システムに設けられている制御システムを説明するためのブロック図、図４は表示装置に表示される画像の一例としての「ナビゲーションメニュー画面」を示す図、図５は表示装置に表示される画像の一例としての「出発地・目的地の設定画面」を示す図、図６は表示装置に表示される画像の一例としての「第１予測情報」が表示された画面を示す図、図７は表示装置に表示される画像の一例としての「ナビゲーション画面」を示す図、図８は車両用情報表示システムにより実行される車両の走行状態に基づく制御処理を示すフロー図である。なお、図中ＦＲは車両前方を、ＵＰは車両上方をそれぞれ示している。また、以下の説明における左右方向は、車両に着座した乗員が車両前方を向いた状態での左右方向を意味する。
【００１５】
図１及び図２に示すように、本実施形態に係る車両用情報表示システム１０は、表示装置２０を備えている。車両１は、運転席２の車両前方側にインストルメントパネル３を有し、表示装置２０は、インストルメントパネル３の車幅方向中央部に取り付けられている。表示装置２０は、各種画像を映し出すことが可能な表示部２１と、メニュー画面表示スイッチ２２や音量調節スイッチ（図示省略）などの複数のスイッチとを有している。
【００１６】
図２に示すように、表示部２１は、いわゆるタッチパネル一体型のディスプレイであって、操作面に対して指等を接触又は近接させることによって操作入力することが可能なタッチパネル２１ａと、タッチパネル２１ａの車両前方側の面に積層される液晶表示パネル２１ｂとを有している（図３参照）。液晶表示パネル２１ｂには、タッチパネル２１ａやメニュー画面表示スイッチ２２等による操作入力に基づいて、地図情報画像などの各種画像を写し出すことが可能となっている。なお、上記タッチパネル２１ａと、液晶表示パネル２１ｂとが、それぞれ、特許請求の範囲に記載の「入力手段」と、「表示手段」とに該当する。
【００１７】
メニュー画面表示スイッチ２２は、押圧式のスイッチであって、乗員Ｈによる押圧操作によって、液晶表示パネル２１ｂに、「メニュー表示画面」（図２参照）を表示させることが可能なものである。
【００１８】
ここで、液晶表示パネル２１ｂに表示される各種画像について、図２、図４及び図５を参照して説明する。
【００１９】
図２に示すように、メニュー画面表示スイッチ２２が乗員Ｈによって押圧されると、液晶表示パネル２１ｂには、「ＮＡＶＩ」、「ＡＵＤＩＯ」、「ＶＩＤＥＯ」、「Ａ／Ｃ」、「戻る」等の複数の選択画像（アイコン画像）Ｉを含む「メニュー表示画面」が表示されるようになっている。
【００２０】
上記「メニュー表示画面が」液晶表示パネル２１ｂに表示されている状態で、乗員Ｈが、例えば、「ＮＡＶＩ」の選択画像Ｉをタッチパネル２１ａを介して押圧すると、液晶表示パネル２１ｂには、「メニュー表示画面」に切り替わって、図４に示すような、「ＮＡＶＩ  ＭＥＮＵ画面」が表示されるようになっている。
【００２１】
そして、この状態で、乗員Ｈが、例えば、「出発地・目的地の設定」の選択画像Ｉを、タッチパネル２１ａを介して選択すると、液晶表示パネル２１ｂには、図５に示すような「出発地・目的地の設定画面」が「ＮＡＶＩ  ＭＥＮＵ画面」に切り替わって表示されるようになっている。
【００２２】
詳しくは後述するが、本実施形態では、車両１が停止状態（停車状態）から走行状態に移行した後、所定時間（例えば、８秒）が経過したときに、「ＶＩＤＥＯ」（図２参照）等の一部の機能については、乗員Ｈがタッチパネル２１ａをタッチ等しても、当該タッチ等の操作を無効とする（情報の入力ができない）ように構成されている。
【００２３】
また、本実施形態では、液晶表示パネル２１ｂに表示される表示画面によっては、文字や数字等の具体的な情報も入力することができるように構成されている。例えば、液晶表示パネル２１ｂに、「出発地・目的地の設定画面」（図５参照）が表示されている状態で、乗員Ｈは、タッチパネル２１ａを介して、文字や数字等の情報（以下、「文字情報」と称す）を入力することにより、「出発地」や「目的地」を設定することが可能となっている。
【００２４】
このような文字情報の入力について、上述した「出発地・目的地の設定画面」（図５参照）を例にとって具体的に説明する。
図５に示す「出発地・目的地の設定画面」において、文字情報の入力は、先ず、入力する項目を選択することからはじまる。具体的に、乗員Ｈは、「出発地」を入力する入力欄Ｃ１、若しくは、「目的地」を入力する入力欄Ｃ２の何れかを、タッチパネル２１ａを介してタッチ等することによって、文字情報を入力する欄を選択する。
【００２５】
図５の例では、「目的地」の入力欄Ｃ２が選択されている状態を示している。なお、本実施形態では、入力欄の選択が行われた場合、当該選択された入力欄が、乗員Ｈによって認識することが可能なように、着色（例えば、灰色）されるようになっている。
【００２６】
入力欄Ｃ１及び入力欄Ｃ２への入力は、液晶表示パネル２１ｂに表示される、文字・数字入力欄Ｃ３（図中右側）に表示される文字や数字を、タッチパネル２１ａを介してタッチ等することにより行われるようになっている。図５の例では、乗員Ｈが入力欄Ｃ２に、「シンジ」が入力された状態を示している。
【００２７】
なお、乗員Ｈが、文字・数字入力欄Ｃ３に表示されていない文字等を表示させたい場合、例えば、液晶表示パネル２１ｂに表示される「ア」行〜「マ」行の文字以外の文字や数字、例えば、「ラ」行の文字を表示させたい場合には、タッチパネル２１ａのうち、文字・数字入力欄Ｃ３に対応する部位をタッチ等したまま、上方に移動させることによって（スクロール）表示させることが可能となっている。
【００２８】
また、本実施形態における表示装置２０では、今までに入力された入力途中の文字等に基づいて、その後に乗員Ｈによって入力される可能性のあるキーワードを自動的に予測して表示する機能が設けられている。
【００２９】
このようなキーワードの予測表示について図５を例にとって説明すると、乗員Ｈが入力欄Ｃ２に、「シンジ」の文字を入力した場合、液晶表示パネル２１ｂには、「新宿駅南口」、「新宿駅東口」、「新宿スバルビル」等といったキーワードが、検索キーワード表示欄Ｃ４（図中左下側）に表示されるようになっている。このようなキーワードの予測表示は、公知であるため、詳しい説明は省略するが、例えば、乗員Ｈが文字等を入力する毎に、入力された文字等を履歴データとして記憶しておき、その中から入力頻度の高いものを抽出することにより実現することが可能である。
【００３０】
乗員Ｈは、「シンジ」に続く文字等を、文字・数字入力欄Ｃ３から選択することによって入力することも可能であるが、検索キーワード表示欄Ｃ４に表示されるキーワードの中から選択して入力することもできるようになっている。このようなキーワードの入力は、文字情報の入力と同様、タッチパネル２１ａの対応する部位をタッチ等することによって行うことが可能である。
【００３１】
例えば、検索キーワード表示欄Ｃ４に表示される「新宿スバルビル」の選択は、タッチパネル２１ａのうち、当該「新宿スバルビル」と対応する部位をタッチ等することによって行うことができる。なお、「新宿スバルビル」が選択された場合、液晶表示パネル２１ｂに表示される入力欄Ｃ２には、「新宿スバルビル」と表示されるようになっている。
【００３２】
次に、車両用情報表示システム１０に設けられている制御システムについて図３を参照して説明する。
【００３３】
図３に示すように、制御システムは、主として、表示制御基板１００、タッチパネル２１ａ、液晶表示パネル２１ｂ、メニュー画面表示スイッチ２２、車両１の所定位置に設けられる車速センサ７、各種出力装置８、及び、送受信機９を備え、それぞれが配線ケーブルによって接続されている。
【００３４】
表示制御基板１００は、表示装置２０等に設けられ、表示制御ＣＰＵ１０１と、表示制御ＲＯＭ１０２と、表示制御ＲＡＭ１０３と、タイマ１０４とを備えている。なお、上記表示制御ＣＰＵ１０１が特許請求の範囲に記載の「制御手段」に該当する。
【００３５】
表示制御ＣＰＵ１０１は、表示制御ＲＯＭ１０２に予め記憶されているシステムプログラム等を読み込み、タッチパネル２１ａ等から入力された情報に基づいて、液晶表示パネル２１ｂに画像データを出力するとともに、タッチパネル２１ａに操作可能領域指定データを出力する。この際、表示制御ＣＰＵ１０１は、必要に応じて、車両１に設けられたスピーカ等の各種出力装置８に音声データ等を出力する。
【００３６】
例えば、表示制御ＣＰＵ１０１は、メニュー画面表示スイッチ２２が押圧された場合、液晶表示パネル２１ｂと、タッチパネル２１ａとに、それぞれ、メニュー画面表示データと、所定の領域を操作可能領域とするための操作可能領域指定データとを出力する。
【００３７】
これにより、液晶表示パネル２１ｂには「メニュー表示画面」（図２参照）が表示され、また、タッチパネル２１ａの操作領域のうち、選択画像Ｉによって囲まれる領域が操作可能な領域として有効となる。
【００３８】
また、表示制御ＣＰＵ１０１は、車速センサ７によって検出された検出値に基づいて、タッチパネル２１ａから入力される操作信号（例えば、タッチ信号）を無効にして、表示装置２０において実行される機能の一部が働かないようにする制御を行う。
【００３９】
具体的に、表示制御ＣＰＵ１０１は、車速センサ７から入力された車速データが、例えば、時速０ｋｍからそれを超える速度に変化した場合、停止状態であった車両１が走行状態となったものと判定し、当該判定後、所定時間（例えば、８秒）が経過したときに、例えば、「ＶＩＤＥＯ」機能が働かないように制御したり（図２参照）、また、「ナビゲーション」機能のうち「出発地・目的地の設定」操作ができないように制御する（図５参照）。
【００４０】
その後、表示制御ＣＰＵ１０１は、車速センサ７から入力される車速データが、例えば、時速０ｋｍを示すものとなった場合、走行状態であった車両１が停止状態となったものと判定し、今まで、働かなかった機能（規制されていた機能）を有効とするような制御を行う。
【００４１】
なお、車両１が停止状態から走行状態になったと判定する条件として、上記のように、（１）車速データが時速０ｋｍを超えるものとなった場合の他、（２）車速データが時速０ｋｍを超えてから所定時間（例えば、２秒）が経過した場合、（３）サイドブレーキが開放状態となった場合、及び、（４）車両１が低速状態となった場合（例えば、車速データが時速４ｋｍ以上となった場合）等、適宜採用することが可能である。
【００４２】
一方、車両１が走行状態から停止状態になったと判定する条件として、上記のように、（１）車速データが時速０ｋｍとなった場合の他、（２）車速データが時速０ｋｍとなってから所定時間（例えば、２秒）が経過した場合、（３）サイドブレーキが引かれた場合、及び、（４）車両１が低速状態となった場合（例えば、車速データが時速４ｋｍ以下となった場合）等、適宜採用することが可能である。
【００４３】
表示制御ＲＯＭ１０２は、システムプログラムを記憶している他、液晶表示パネル２１ｂに出力される各種画像データ、及び、タッチパネル２１ａの操作可能領域を指定するための操作可能領域指定データを記憶している。操作可能領域指定データは、例えば、操作可能領域毎に、Ｘ軸座標○○〜△△、Ｙ軸座標××〜□□といったような座標データが記憶されている。
【００４４】
表示制御ＲＯＭ１０２には、例えば、液晶表示パネル２１ｂに表示される各種画像データとして、メニュー画面表示スイッチ２２の押圧によりメニュー画面表示信号が入力された場合に出力される「メニュー画面表示データ」（図２参照）、メニュー表示画面の「ＮＡＶＩ」が選択された際に出力される「ＮＡＶＩ  ＭＥＮＵ表示データ」（図４参照）、ＮＡＶＩ  ＭＥＮＵ表示画面の「出発地・目的地の設定」が選択された際に出力される「出発地・目的地の設定表示データ」（図５参照）などが階層的に記憶されている。
【００４５】
また、表示制御ＲＯＭ１０２には、車両１が停止状態から走行状態に移行した際、タッチパネル２１ａによる操作入力を禁止する「操作禁止データ」等が記憶されている。
【００４６】
表示制御ＲＯＭ１０２には、「操作禁止データ」として、例えば、メニュー表示画面の「ＶＩＤＥＯ」の選択画像Ｉの選択操作（図２参照）や、「ナビゲーション」機能の「出発地・目的地の設定」操作（図５参照）等が記憶されている。
【００４７】
また、表示制御ＲＯＭ１０２は、上述したような、車両１が停止状態から走行状態に移行したか否かを判定する際に用いる判定データ、及び、車両１が走行状態から停止状態に移行したか否かを判定する際に用いるデータ等の各種判定データ等も記憶している。
【００４８】
表示制御ＲＡＭ１０３は、表示制御ＣＰＵ１０１によって実行されるプログラムや、表示制御ＣＰＵ１０１による演算結果等を一時的に記憶する。また、表示制御ＲＡＭ１０３には、乗員Ｈによって入力されたデータ（例えば、ナビゲーション機能において「出発地」や「目的地」としてそれぞれ入力された地名データ（図５参照）や、乗員Ｈによって選択された選択画像Ｉ（アイコン）を示す選択データ（図２参照））等を履歴データとして記憶する履歴データ記憶領域等が設けられている。
【００４９】
詳しくは後述するが、本実施形態では、乗員Ｈによる入力途中の文字等の入力データから、最終的に入力される可能性のあるキーワードを、履歴データ記憶領域の中から検索して、液晶表示パネル２１ｂに表示するように構成されている。
【００５０】
タイマ１０４は、表示制御ＣＰＵ１０１によって、停止状態であった車両１が走行状態となったと判定された際に計測を開始し、所定時間が経過したとき（例えば、８秒が経過することによってタイマカウンタが「０」となったとき）に表示制御ＣＰＵ１０１にタイムアップ信号を出力するものである。
【００５１】
送受信機９は、ナビゲーション機能を作動させた場合に、車両１の現在位置をＧＰＳ（Ｇｌｏｂａｌ  Ｐｏｓｉｔｉｏｎｉｎｇ  Ｓｙｓｔｅｍ、図示省略）衛星に送信するともに、ＧＰＳ衛星から送信された位置情報データを受信するものである。
【００５２】
ＧＰＳ衛星から位置情報データを受信した場合の制御処理については、公知であるため、詳しい説明は省略するが、簡単に説明すると、表示制御ＣＰＵ１０１は、ＧＰＳ衛星から位置情報データを受信した場合、液晶表示パネル２１ｂに、現在の車両位置とその周辺の地図情報を表示するように制御する（図７参照）。また、乗員Ｈにより「出発地・目的地の設定」が行われている場合、液晶表示パネル２１ｂには、例えば、図７に示すような、現在地Ｐ１から目的地Ｐ２までの最適ルートＲが表示されるようになっている。
【００５３】
次に、車両用情報表示システム１０の表示制御ＣＰＵ１０１によって実行される、車両１の走行状態に基づく制御処理について図８を参照して説明する。
【００５４】
上記表示制御ＣＰＵ１０１によって実行される制御処理は、例えば、ＡＣＣ（アクセサリー電源）がＯＮとなったときに開始される。
【００５５】
（ステップＳ１）
表示制御ＣＰＵ１０１は、先ず、ステップＳ１において、車両１の走行状態が変化したか否かを判定する。具体的に、表示制御ＣＰＵ１０１は、車速データが時速０ｋｍから時速０ｋｍを超える速度に変化した場合（停車状態であった車両１が走行状態となった場合）、又は、車速データが時速０ｋｍを超える速度から時速０ｋｍに変化した場合（走行状態であった車両１が停止状態となった場合）に、車両１の走行状態が変化したと判定する。
表示制御ＣＰＵ１０１は、車両１の走行状態が変化したと判定した場合、ステップＳ２に処理を移し、車両１の走行状態が変化していない、すなわち、車両１が走行状態又は停止状態を維持している場合、本制御処理を終了する。
【００５６】
（ステップＳ２）
表示制御ＣＰＵ１０１は、停車状態の車両１が走行状態となったか否か（上記ステップＳ１の判定が停車状態の車両１が走行状態に変化したことに基づくものであるか否か）を判定する。
表示制御ＣＰＵ１０１は、停車状態の車両１が走行状態となったと判定した場合、ステップＳ３に処理を移し、停車状態の車両１が走行状態となったと判定しなかった場合（走行状態の車両１が停止状態となったと判定した場合）、ステップＳ１３に処理を移す。なお、本ステップＳ２を実行する表示制御ＣＰＵ１０１が特許請求の範囲に記載の「入力禁止決定手段」に該当する。
【００５７】
（ステップＳ３）
表示制御ＣＰＵ１０１は、ステップＳ３において、タイマ１０４による計測（タイマカウント）を開始する処理を行う。表示制御ＣＰＵ１０１は、本ステップＳ３の処理を行った後、次のステップＳ４に処理を移す。
【００５８】
（ステップＳ４）
表示制御ＣＰＵ１０１は、ステップＳ４において、タッチパネル２１ａによる操作入力が途中であるか否かを判定する。
【００５９】
ここで、上記タッチパネル２１ａによる操作入力が途中である場合とは、液晶表示パネル２１ｂに表示される入力画面において、既に、何らかの情報が入力されているが、未だ、全ての情報の入力が完了していない状態を意味する。例えば、図５に示す「出発地・目的地の設定」画面において、「目的地」の入力欄Ｃ２に「シンジ」までしか入力されていない状態が、上記タッチパネル２１ａによる操作入力が途中である場合に該当する。
【００６０】
一方、タッチパネル２１ａによる操作入力が途中ではない場合とは、例えば、図５に示す「出発地・目的地の設定画面」において、「出発地」の入力欄Ｃ１及び「目的地」の入力欄Ｃ２の何れの入力欄への文字等の入力が完了しており、且つ、「決定」の選択画像Ｉが選択された状態（タッチパネル２１ａによる操作入力が完了した状態）が該当する。
【００６１】
表示制御ＣＰＵ１０１は、タッチパネル２１ａによる操作入力が途中であると判定した場合、ステップＳ５に処理を移し、当該操作入力が途中ではないと判定した場合、ステップＳ１１に処理を移す。
【００６２】
（ステップＳ５）
表示制御ＣＰＵ１０１は、ステップＳ５において、第１予測情報決定処理を行う。
この第１予測情報決定処理について、図５に示す「出発地・目的地の設定」画面を用いて説明する。
図５の例では、「出発地・目的地の設定」画面において、「出発地」の入力欄Ｃ１に何の情報も入力されておらず、また、「目的地」の入力欄Ｃ２に「シンジ」の文字が入力されている状態を示している。
【００６３】
表示制御ＣＰＵ１０１は、先ず、表示制御ＲＡＭ１０３の履歴データ記憶領域に記憶されている「出発地」の履歴データ及び「目的地」の履歴データを検索する。表示制御ＣＰＵ１０１は、検索された「出発地」の履歴データのうち、入力された回数の多い履歴データ（例えば、「現在地」（１位）、「自宅」（２位）、「会社」（３位）の３つ）を「出発地」の第１予測情報として決定する。同様に、表示制御ＣＰＵ１０１は、「目的地」の履歴データのうち、入力された回数の多い履歴データ（例えば、上位３位の「新宿スバルビル」（１位）、「新宿南口」（２位）、「新宿駅東口」（３位）の３つ）を「目的地」の第１予測情報として決定する。
【００６４】
表示制御ＣＰＵ１０１は、第１予測情報決定処理を行った後、次のステップＳ６に処理を移す。
【００６５】
（ステップＳ６）
表示制御ＣＰＵ１０１は、ステップＳ６において、第１予測情報表示処理を行う。具体的に、表示制御ＣＰＵ１０１は、上記ステップＳ５において決定された第１予測情報を液晶表示パネル２１ｂに表示する処理を行う。
【００６６】
ここで、本ステップＳ６の処理を、上記第１予測情報として決定された「出発地」及び「目的地」を例にとって説明する。
表示制御ＣＰＵ１０１は、液晶表示パネル２１ｂに、図６に示すような、「出発地」の第１予測情報として「現在地」、「自宅」、「会社」を表示するとともに、「目的地」の第１予測情報として「新宿スバルビル」、「新宿駅南口」、「新宿駅東口」を表示する制御を行う。なお、この際、液晶表示パネル２１ｂには、図６に示すような、タイマ１０４によってカウントされている時間を表示するようにしてもよい。
【００６７】
表示制御ＣＰＵ１０１は、第１予測情報表示処理を行った後、ステップＳ７に処理を移す。
【００６８】
（ステップＳ７）
表示制御ＣＰＵ１０１は、ステップＳ７において、ステップＳ３の処理で計測を開始したタイマ１０４がタイムアップ（例えば、８秒経過）したか否かを判定する。
表示制御ＣＰＵ１０１は、タイムアップしていないと判定した場合、ステップＳ８に処理を移し、タイムアップしたと判定した場合、ステップＳ９に処理を移す。
【００６９】
（ステップＳ８）
表示制御ＣＰＵ１０１は、ステップＳ８において、ステップＳ６の処理で液晶表示パネル２１ｂに表示された複数の第１予測情報（選択画像Ｉ）のうち、任意の第１予測情報が選択されたか否かを判定する。
【００７０】
ここで、本ステップＳ８の処理を、上記液晶表示パネル２１ｂに表示された「出発地」の第１予測情報、及び、「目的地」の第１予測情報を例にとって説明する（図６参照）。
表示制御ＣＰＵ１０１は、乗員Ｈが、タッチパネル２１ａを介して「出発地」の第１予測情報（例えば、「現在地」の選択画像Ｉ）及び「目的地」の第１予測情報（例えば、「新宿スバルビル」の選択画像Ｉ）をそれぞれ１つずつ選択した場合、本ステップＳ８において、第１予測情報が選択されたと判定する。一方、表示制御ＣＰＵ１０１は、「出発地」の第１予測情報及び「目的地」の第１予測情報の何れもが選択されていない場合、若しくは、何れか一方のみが選択された場合、本ステップＳ８において、第１予測情報が選択されていないと判定する。
【００７１】
表示制御ＣＰＵ１０１は、第１予測情報が選択されたと判定した場合、ステップＳ１０に処理を移し、第１予測情報が選択されていないと判定した場合、再度、ステップＳ７の処理を行う。
【００７２】
（ステップＳ９）
表示制御ＣＰＵ１０１は、ステップＳ７の処理でタイマアップしたと判定した場合、ステップＳ９において、第２予測情報決定処理を行う。
この第２予測情報決定処理について、図５に示す「出発地・目的地の設定」画面において、「出発地」の入力欄Ｃ１に何の情報を入力されておらず、「目的地」の入力欄Ｃ２
に「シンジ」のみしか入力されていない場合を例にとって説明する。
【００７３】
表示制御ＣＰＵ１０１は、先ず、表示制御ＲＡＭ１０３の履歴データ記憶領域に記憶されている、「出発地」の履歴データのうち最も多く記憶されている履歴データ、及び、「出発地」の履歴データのうち最も多く記憶されている履歴データを、それぞれ検索して抽出する。表示制御ＣＰＵ１０１は、例えば、抽出された「出発地」の履歴データが「現在地」、及び、「目的地」の履歴データが「新宿スバルビル」である場合、これらを第２予測情報として決定する。
【００７４】
表示制御ＣＰＵ１０１は、第２予測情報決定処理を行った後、ステップＳ１０に処理を移す。
【００７５】
（ステップＳ１０）
表示制御ＣＰＵ１０１は、ステップＳ１０において、選択画像表示処理を行う。
例えば、乗員Ｈが、第１予測情報が表示される表示画面（図６参照）において、例えば、「出発地」として「現在地」を選択するとともに、「目的地」として「新宿スバルビル」を選択した場合（ステップＳ８を介して本ステップＳ１０が開始された場合）、表示制御ＣＰＵ１０１は、ＧＰＳ衛星から受信した「現在地」の位置情報データに基づいて画像データを生成し、この生成した画像データを液晶表示パネル２１ｂに出力する。これにより、液晶表示パネル２１ｂには、図７に示すような、現在地Ｐ１から目的地（新宿スバルビル）Ｐ２までの最適ルートＲが示されたナビゲーション画像が表示されることとなる。
同様に、表示制御ＣＰＵ１０１は、例えば、上記ステップＳ９の処理で、「出発地」と「目的地」とを、それぞれ、「現在地」と「新宿スバルビル」とする決定を行った場合、上記と同様に、図７に示すような画像を表示する制御を行う。
表示制御ＣＰＵ１０１は、選択画像表示処理を行った後、ステップＳ１２に処理を移す。なお、上記ステップＳ９の処理で決定された第２予測情報に基づいて、液晶表示パネル２１ｂに表示するための画像データを生成する表示制御ＣＰＵ１０１が、特許請求の範囲に記載の「表示内容予測手段」に該当する。
【００７６】
（ステップＳ１１）
表示制御ＣＰＵ１０１は、上記ステップＳ４の処理でタッチパネル２１ａによる操作入力が途中ではないと判定した場合、ステップＳ１１において、ステップＳ３の処理で計測を開始したタイマ１０４がタイムアップ（例えば、８秒経過）したか否かを判定する。
表示制御ＣＰＵ１０１は、タイムアップしたと判定した場合、ステップＳ１２に処理を移し、タイムアップしていないと判定した場合、タイムアップしたと判定されるまで、本ステップＳ１１の処理を繰り返し実行する。
【００７７】
（ステップＳ１２）
表示制御ＣＰＵ１０１は、ステップＳ１２において、操作入力禁止モード設定処理を行う。
例えば、表示制御ＣＰＵ１０１は、操作入力禁止を示すフラグをＯＮ（＝１）とする処理を行う。これにより、表示制御ＲＯＭ１０２に記憶されている「操作禁止データ」に基づいて、表示装置２０によって実行することが可能な機能のうち、一部の機能（例えば、「ＶＩＤＥＯ」の機能（図２参照）や、「ナビゲーション」機能のうち「出発地・目的地の設定」（図５参照））の使用が禁止されることとなる。
表示制御ＣＰＵ１０１は、操作入力禁止モード設定処理を行った後、本制御処理を終了する。
【００７８】
（ステップＳ１３）
表示制御ＣＰＵ１０１は、上記ステップＳ２の処理で、停車状態の車両１が走行状態となったと判定しなかった場合（走行状態の車両１が停止状態となったと判定した場合）、ステップＳ１３において、操作入力許容モード設定処理を行う。
例えば、上記ステップＳ１２の処理で操作入力禁止を示すフラグをＯＮ（＝１）としているような場合、表示制御ＣＰＵ１０１は、当該フラグをＯＦＦ（＝０）とする処理を行う。これにより、表示装置２０によって実行することが可能な機能の全てを使用することが可能となる。
表示制御ＣＰＵ１０１は、操作入力許容モード設定処理を行った後、本制御処理を終了する。
【００７９】
このように、本実施形態では、乗員Ｈが情報を入力している途中の段階で、車両１が停止状態から走行状態に移行することによって、タッチパネル２１ａによる操作入力が禁止されたとしても、乗員Ｈが入力した途中までの情報に基づいて、乗員Ｈが望む表示内容を予測し、当該表示内容を液晶表示パネル２１ｂに表示するように構成されている。
【００８０】
すなわち、本実施形態によれば、乗員Ｈが情報を入力している途中の段階で、タッチパネル２１ａによる操作入力が禁止されたとしても、当該禁止が解除されるまで（走行状態であった車両１が停止状態となるまで）、乗員Ｈが、所望の表示内容を視ることができないといった事態を防止することが可能となる。
【００８１】
特に、本実施形態では、本来、多くの情報を操作入力しなければ、乗員Ｈの望む表示内容が表示されることがないところ、一部の情報のみを入力するだけで、当該表示内容を表示させることが可能なため、乗員Ｈによる入力負担を軽減することができる。
【００８２】
また、本実施形態では、乗員Ｈが今までに入力した「履歴データ」に基づいて、乗員Ｈが望む表示内容を表示するように構成されているため、より乗員Ｈの望む表示内容を液晶表示パネル２１ｂに表示させることが可能である。
【００８３】
なお、本実施形態では、タッチパネル２１ａから入力された情報に基づいて、液晶表示パネル２１ｂに各種画像を表示するように構成したが、例えば、表示装置２０と無線通信することが可能な移動携帯端末（例えば、携帯電話）から入力された情報に基づいて、液晶表示パネル２１ｂに各種画像を表示するように構成してもよい。また、音声を入力することが可能なマイクを入力手段として採用することも可能である。この際、マイク及びタッチパネル２１ａの両方を入力手段としてもよく、また、マイクのみを入力手段として採用することも可能である。
【００８４】
さらに、本実施形態では、乗員Ｈが今までに入力した「履歴データ」に基づいて、第２予測情報を決定したが、その他のデータ、例えば、乗員Ｈの個人情報（例えば、性別）に基づいて第２予測情報を決定することも可能である。
【００８５】
また、本実施形態では、第１予測情報を表示した後、所定時間内に、当該第１予測情報を乗員Ｈが選択しなかった場合、第２予測情報に基づく表示内容を表示するように構成したが、乗員Ｈによる操作を促す第１予測情報の表示を行うことなく、第２予測情報に基づく表示内容を表示することも可能である。
【００８６】
さらに、本実施形態では、図５に示す「出発地・目的地の設定」画面において、入力された情報が途中である状態で、操作入力の禁止の決定が行われた場合、履歴データに基づいて、乗員Ｈが望む表示内容（図７参照）を液晶表示パネル２１ｂに表示した。その他にも、例えば、液晶表示パネル２１ｂに「メニュー設定画面」が表示されている状態で、操作入力の禁止の決定が行われた場合、最も表示される情報（例えば、現在地とその周辺の地図情報）を液晶表示パネル２１ｂに表示することも可能である。
【００８７】
また、本実施形態では、タッチパネル２１ａによる操作入力の禁止の決定が行われた後（ステップＳ２）、当該操作入力の禁止が行われるまでの間に（ステップＳ１２）、ステップＳ９の処理で決定された第２予測情報に基づいて所定の画像を生成し、当該生成された所定の画像を液晶表示パネル２１ｂに表示するように構成した（ステップＳ１０）。これに限られず、このような第２予測情報に基づく画像を、タッチパネル２１ａによる操作入力の禁止が行われた後に（ステップＳ１２）表示するように構成することも可能である。
【００８８】
以上、本発明者によってなされた発明を適用した実施形態について説明したが、この実施形態による本発明の開示の一部をなす論述及び図面により、本発明は限定されることはない。すなわち、この実施形態に基づいて当業者等によりなされる他の実施形態、実施例及び運用技術等は全て本発明の範疇に含まれることは勿論であることを付け加えておく。
【符号の説明】
【００８９】
１  車両
２  運転席
３  インストルメントパネル
７  車速センサ
８  各種出力装置
９  送受信機
１０  車両用情報表示システム
２０  表示装置
２１  表示部
２１ａ  タッチパネル
２１ｂ  液晶表示パネル
２２  メニュー画面表示スイッチ
１００  表示制御基板
１０１  表示制御ＣＰＵ
１０２  表示制御ＲＯＭ
１０３  表示制御ＲＡＭ
１０４  タイマ
Ｃ１，Ｃ２  入力欄
Ｃ３  文字・数字入力欄
Ｃ４  検索キーワード表示欄
Ｈ  乗員
ＥＬ  視線方向
Ｐ１  現在地
Ｐ２  目的地
Ｒ  最適ルート
Ｉ  選択画像
【図１】
2014196979.tif 000003
【図３】
2014196979.tif 000004
【図８】
2014196979.tif 000005
【図２】
2014196979.tif 000006
【図４】
2014196979.tif 000007
【図５】
2014196979.tif 000008
【図６】
2014196979.tif 000009
【図７】
2014196979.tif 000010